(57)【要約】【課題】支持体に設けられた端子と発光素子との間での電気的な接続を確保しながらも、発光装置の大型化を防止すること【解決手段】固定部材１３の挿入部１３１は、発光部１２の基板１２１の貫通孔１２１Ａ、端子１２６の貫通孔１２６Ｃ、端子１４の貫通孔１４１および支持体１１の穴１１２に挿入され、螺子軸１３２と支持体１１の穴１１２とが螺合される。固定部材１３の押し当て部１３３は、発光部１２の基板１２１の貫通孔１２１Ａの周囲に当接し、固定部材１３の押し当て部１３３が端子１２６の貫通孔１２６Ｃの周囲を、端子１４の貫通孔１４１の周囲に押し当てる。【選択図】図３
2014167863.tif 000002
【特許請求の範囲】
【請求項１】
基板、前記基板に設けられた発光素子、および前記基板に設けられた第一の端子を有するとともに、前記第一の端子が前記発光素子に電気的に接続された発光部と、
前記発光部を支持する支持体と、
前記支持体に設けられ、前記第一の端子に電気的に接続される第二の端子と、
前記発光部を前記支持体に固定する固定部材と、を備え、
前記固定部材は、前記基板および前記第一の端子の一部を貫通し、前記第二の端子に挿入され、前記支持体に固定される挿入部と、
前記挿入部から張り出して設けられ、前記第一の端子を前記第二の端子側に押し当てる押し当て部と、を備える発光装置。
【請求項２】
請求項１に記載の発光装置において、
前記第一の端子と前記第二の端子とが対向して電気的に接続されている発光装置。
【請求項３】
請求項２に記載の発光装置において、
前記固定部材の挿入部の外周面には、螺旋状の溝が形成されており、
前記支持体には、前記挿入部に螺合する螺子穴が形成され、
前記挿入部は、前記基板、前記第一の端子および前記第二の端子を貫通し、
前記押し当て部と前記支持体との間に、前記基板、前記第一の端子および前記第二の端子が配置されており、
前記挿入部を前記支持体に形成された前記螺子穴に螺合することにより、前記押し当て部により、前記第一の端子が前記第二の端子側に押し当てられた発光装置。
【請求項４】
請求項２に記載の発光装置において、
前記固定部材の挿入部の外周面には、螺旋状の溝が形成されており、
前記固定部材の前記押し当て部は、前記挿入部に螺合するナットであり、
前記固定部材の挿入部は、前記支持体上に立設され、
前記挿入部が、前記第二の端子、前記第一の端子および前記基板で構成される積層体を貫通し、
前記挿入部の前記積層体から突出した部分に、前記ナットが螺合し、前記ナットと、前記支持体との間に前記積層体が配置され、前記ナットにより、前記第一の端子が前記第二の端子側に押し当てられた発光装置。
【請求項５】
請求項１〜４のいずれか１項に記載の発光装置において、
前記第一の端子は、前記基板の周縁部に設けられ、
前記基板および前記第一の端子は、前記基板および前記第一の端子を貫通するとともに、前記基板および前記第一の端子には、前記基板の外周側から前記基板内側に向けて切りかかれた形状のスリット部が形成されており、
前記スリット部に、前記挿入部が挿入された発光装置。
【請求項６】
請求項５に記載の発光装置において、
前記固定部材は、前記挿入部から張り出し、前記押し当て部と対向する張り出し部を備え、
前記挿入部のうち、前記張り出し部と前記押し当て部との間に位置する領域に螺旋状の溝が形成されており、
前記支持体には、螺子穴が形成され、
前記挿入部は、前記螺旋状の溝が前記螺子穴に螺合するとともに、前記螺子穴を貫通し、
前記挿入部の前記螺子穴から突出した一方の端部に、前記張り出し部が設けられ、前記挿入部の前記螺子穴から突出した他方の端部に前記押し当て部が設けられている発光装置。
【請求項７】
請求項１に記載の発光装置において、
前記固定部材の前記挿入部および前記押し当て部は導電性であり、
前記第一の端子は、前記基板の前記支持体側とは反対側の面に設けられ、
前記挿入部が前記第二の端子に接し、
前記押し当て部が前記基板の前記支持体側とは反対側の面側に位置して、前記第一の端子に電気的に接続された発光装置。
【請求項８】
請求項１に記載の発光装置において、
前記固定部材の前記挿入部は導電性であり、前記第一の端子および前記第二の端子のそれぞれに接続された発光装置。
【請求項９】
請求項１または２に記載の発光装置において、
前記支持体には、前記挿入部が挿入される凹部が形成されており、
前記凹部内には、前記挿入部を挟持する挟持部が配置され、
前記挟持部を、前記挿入部を挟持する方向に付勢する手段を備える発光装置。
【請求項１０】
請求項１〜９のいずれか１項に記載の発光装置において、
複数の前記固定部材と、複数の前記第二の端子とを備え、
前記支持体には、複数の前記発光部が複数の前記固定部材により固定され、
前記各発光部の前記第一の端子が、前記固定部材により、前記各第二の端子に押し当てられている発光装置。
【請求項１１】
請求項１〜１０のいずれか１項に記載の発光装置において、
前記発光素子は、前記基板上に設けられた第一電極および第二電極と、
前記第一電極および前記第二電極間に配置され、発光層を有する有機機能層と、を備え、
前記第一電極あるいは前記第二電極が前記第一の端子に電気的に接続された発光装置。
【請求項１２】
基板、前記基板に設けられた発光素子、および前記基板に設けられた第一の端子を有し、前記第一の端子が前記発光素子に電気的に接続された発光部と、
前記発光部を支持するための支持体と、
前記支持体に設けられ、前記第一の端子に電気的に接続される第二の端子と、
前記発光部を前記支持体に固定する固定部材と、を用意する工程と、
前記固定部材の挿入部を、前記発光部の前記基板および前記第一の端子の一部に貫通させるとともに、前記第二の端子に挿入して前記支持体に固定し、
前記固定部材の前記挿入部から張り出して設けられた押し当て部で、前記第一の端子を前記第二の端子側に押し当てる工程と、を含む発光装置の製造方法。
【発明の詳細な説明】
【技術分野】
【０００１】
本発明は、発光装置および発光装置の製造方法に関する。
【背景技術】
【０００２】
従来、面発光型の発光素子を、ケースに固定し、照明装置等に利用することが行なわれている。
たとえば、特許文献１には、図１に示すように、発光面が表面に設けられた照明パネル９０３と、照明パネル９０３を収容し、支持する本体９０１と、この本体９０１に照明パネル９０３を固定するための取り付けカバー９０２とを備える照明装置が開示されている。
特許文献１に開示された照明装置では、取り付けカバー９０２に、照明パネル９０３を取り付け、本体９０１に、取り付けカバー９０２に取り付けられた照明パネル９０３を押し当てる。これにより、照明パネル９０３の第二電気接点９０３Ａと、本体９０１の第一電気接点とを対向させて、これらを接触させる構成となっている。
取り付けカバー９０２に取り付けられた照明パネル９０３を本体９０１に押し当てる際には、本体９０１の外周縁に設けられたＬ字型の保持部材９０４を使用し、保持部材９０４のコイルばねの力により、取り付けカバー９０２を本体９０１側に付勢している。
【０００３】
また、特許文献２には面状発光素子と、この面状発光素子を挟持して保護する表面ケースおよび裏面ケースを備える照明器具が開示されている。
【先行技術文献】
【特許文献】
【０００４】
【特許文献１】特開２０１２−１７４５０４号公報
【特許文献２】特開２０１０−２２５３８６号公報
【発明の概要】
【発明が解決しようとする課題】
【０００５】
発光素子を上述したカバーや本体等で支持した場合、発光素子を支持する部材を介して外部の電源と発光素子とを接続する必要がある。
特許文献１においては、照明パネル９０３を支持する本体９０１に、電源に接続される第一電気接点を設けている。そして、照明パネル９０３の第二電気接点９０３Ａと、照明パネル９０３を収容する本体９０１の第一電気接点とを対向させて、これらを接触させている。前述したように、照明パネル９０３の第二電気接点９０３Ａと、本体９０１の第一電気接点とを接触させる際には、本体９０１の外周縁に設けられた保持部材９０４で、照明パネル９０３がはめ込まれた取り付けカバー９０２を本体９０１に押圧させている。
この保持部材９０４は、本体９０１の外周縁に設けられていることから、発光装置が大型化してしまうことが懸念される。
【０００６】
一方、特許文献２においては、面状発光素子と、回路とをつなぐ配線が表面ケースおよび裏面ケースに保持される点が記載されているものの、面状発光素子と、配線とをどのように接続しているか、開示されていない。
【０００７】
本発明が解決しようとする課題としては、発光素子を支持する支持体に設けられた端子と発光素子との間での電気的な接続を確保しながらも、発光装置の大型化を防止することが一例として挙げられる。
【課題を解決するための手段】
【０００８】
請求項１に記載の発明は、
基板、前記基板に設けられた発光素子、および前記基板に設けられた第一の端子を有するとともに、前記第一の端子が前記発光素子に電気的に接続された発光部と、
前記発光部を支持する支持体と、
前記支持体に設けられ、前記第一の端子に電気的に接続される第二の端子と、
前記発光部を前記支持体に固定する固定部材と、を備え、
前記固定部材は、前記基板および前記第一の端子の一部を貫通し、前記第二の端子に挿入され、前記支持体に固定される挿入部と、
前記挿入部から張り出して設けられ、前記第一の端子を前記第二の端子側に押し当てる押し当て部と、を備える発光装置である。
【０００９】
また、請求項１２に記載の発明は、
基板、前記基板に設けられた発光素子、および前記基板に設けられた第一の端子を有し、前記第一の端子が前記発光素子に電気的に接続された発光部と、
前記発光部を支持するための支持体と、
前記支持体に設けられ、前記第一の端子に電気的に接続される第二の端子と、
前記発光部を前記支持体に固定する固定部材と、を用意する工程と、
前記固定部材の挿入部を、前記発光部の前記基板および前記第一の端子の一部に貫通させるとともに、前記第二の端子に挿入して前記支持体に固定し、
前記固定部材の前記挿入部から張り出して設けられた押し当て部で、前記第一の端子を前記第二の端子側に押し当てる工程と、を含む発光装置の製造方法である。
【図面の簡単な説明】
【００１０】
【図１】従来の発光装置を示す図である。
【図２】本発明の実施形態における発光装置の斜視図である。
【図３】実施形態における発光装置の分解断面図であり、基板の基板面と直交する方向の分解断面図である。
【図４】（ａ）〜（ｄ）は、実施形態における発光装置の製造工程を示す平面図である。
【図５】実施例１の発光装置の分解断面図であり、基板の基板面と直交する方向の分解断面図である。
【図６】実施例２の発光装置の分解断面図であり、基板の基板面と直交する方向の分解断面図である。
【図７】実施例３の発光装置の分解断面図であり、基板の基板面と直交する方向の分解断面図である。
【図８】実施例４の発光装置の基板および端子を示す平面図である。
【図９】実施例４の発光装置の分解断面図であり、基板の基板面と直交する方向の分解断面図である。
【図１０】実施例５の発光装置の分解断面図であり、基板の基板面と直交する方向の分解断面図である。
【図１１】実施例６における発光装置の断面図であり、基板の基板面と直交する方向の断面図である。
【図１２】実施例６における支持体１１を凹部１１１底面側からみた平面図である。
【図１３】実施例６の変形例における発光装置の断面図であり、基板の基板面と直交する方向の断面図である。
【図１４】実施例６の変形例における発光装置の発光部および配線を示す図である。
【図１５】発光部の配置を示す図である。
【図１６】発光部の配置を示す図である。
【図１７】発光部の配置を示す図である。
【図１８】（ａ）〜（ｃ）は、発光装置の製造工程の変形例を示す平面図である。
【発明を実施するための形態】
【００１１】
以下、本発明の実施の形態について、図面を用いて説明する。尚、すべての図面において、同様な構成要素には同様の符号を付し、適宜説明を省略する。
（実施形態）
図２〜図４を参照して、本実施形態の発光装置１について説明する。
図２は、発光装置１の斜視図であり、図３は、発光装置１の基板１２１の基板面と直交する方向の分解断面図である。図４は、発光装置１の製造工程を示す平面図である。
【００１２】
本実施形態では、発光装置１は照明装置あるいはディスプレイである。
図２および図３に示すように、発光装置１は、支持体１１と、発光部１２と、固定部材１３とを備える。
【００１３】
支持体１１は、発光部１２を支持するものである。
支持体１１は絶縁性の材料で構成され、たとえば、樹脂製である。支持体１１は発光部１２の発光面側からの平面視において、矩形形状であり、表面に発光部１２を設置するための凹部１１１が形成されている。また、支持体１１には、外部電源や外部電源に接続された制御回路を収容するための収容部１１３が形成されている。
【００１４】
図３に示すように、支持体１１の凹部１１１の底面には、端子１４が配置されている。端子１４は、支持体１１の収容部１１３に収容された外部電源、あるいは、外部電源に接続された制御回路に電気的に接続されている。図示しないが、支持体１１に、収容部１１３から端子１４の裏面側に連通する孔を形成し、この孔内に配線を通す。そして、この配線を介して、端子１４と、収容部１１３に収容された外部電源あるいは外部電源に接続された制御回路とを電気的に接続する。
【００１５】
端子１４には、貫通孔１４１が形成されている。貫通孔１４１の平面形状（発光部１２の発光面側からの平面視における形状）は、本実施形態では円形形状である。貫通孔１４１内部には螺子溝が形成されていることが好ましい。なお、端子１４は、導電性であればよく、その材料は特に限定されない。端子１４は、たとえば、金属製である。
【００１６】
支持体１１の凹部１１１の底部には、端子１４の貫通孔１４１に連通する穴１１２が形成されており、この穴１１２の内周面には、螺子溝が形成されている。
なお、穴１１２は、後述する基板１２１の貫通孔１２１Ａに対応する位置にそれぞれ設けられている。また、端子１４も、基板１２１の貫通孔１２１Ａに対応する位置にそれぞれ配置されている。
【００１７】
発光部１２について、図２、図３および図４を参照して説明する。図４は、発光素子１２２の製造工程を示す工程図であり、基板１２１の基板面側からみた平面図である。
発光部１２は、基板１２１と、基板１２１上（図２においては基板１２１の裏面側）に設けられた発光素子１２２と、端子１２６を有する。
【００１８】
基板１２１は、たとえば、樹脂基板であり、図４（ａ）に示すように、複数の貫通孔１２１Ａが形成されている。本実施形態では、基板１２１は基板面側からの平面視において、平面矩形形状であり、その四隅に貫通孔１２１Ａが形成されている。この貫通孔１２１Ａは、平面円形形状である。なお、貫通孔１２１Ａの形状は特に限定されない。また、貫通孔１２１Ａが配置される位置は、基板１２１の四隅に限定されない。貫通孔１２１Ａの位置と数は任意であり、例えば、各辺上や基板の中央部であってもよい。これにより、電極部の配線抵抗に起因する発光ムラを軽減することができる。
【００１９】
なお、発光素子１２２からの光を、基板１２１を介して射出する場合には、基板１２１は透光性を有することが好ましい。ただし、発光素子１２２からの光を、基板１２１を介して射出しない場合には、基板１２１は透光性を有していなくてもよい。
本実施形態においては、発光素子１２２からの光は、基板１２１を介して、支持体１１と反対側に射出されるため、基板１２１は透光性基板である。基板１２１は、たとえば、樹脂製である。
【００２０】
発光素子１２２は、有機ＥＬ素子である。
発光素子１２２は、基板１２１の一方の面に設けられた第一電極１２３と、第二電極１２５と、第一電極１２３および第二電極１２５間に配置された有機機能層１２４とを備える。基板１２１上に、第一電極１２３、有機機能層１２４、第二電極１２５の順にこれらが積層されている。
【００２１】
第一電極１２３は、たとえば、陽極であり、第二電極１２５はたとえば陰極である。本実施形態では、発光素子１２２からの光は、基板１２１を介して射出されるため、有機機能層１２４よりも基板１２１側に位置する第一電極１２３は、透明電極である。第一電極１２３の材料としては、例えばＩＴＯ（Indium Thin Oxide）あるいはＩＺＯ（インジウム亜鉛酸化物）があげられる。
【００２２】
第一電極１２３は、図４（ｂ）に示すように、基板面側からの平面視において、矩形の４つの角部を切り欠いた形状である。この切り欠き部分に、基板１２１の貫通孔１２１Ａが位置し、第一電極１２３は、貫通孔１２１Ａを被覆しないようになっている。
この切り欠き部分のうち、対向する１対の切り欠き部分には、導電性の端子１２６が設けられ、端子１２６が第一電極１２３から引き出されている。端子１２６は第一電極１２３に直接接続されており、本実施形態では、端子１２６および第一電極１２３は一体的に構成されている。端子１２６は、発光部１２を外部に電気的に接続するためのものである。
【００２３】
ここで、第一電極１２３に接続された端子１２６を端子１２６Ａとする。端子１２６Ａには、端子１２６Ａを貫通する貫通孔１２６Ｃが形成されており、貫通孔１２６Ｃは、基板１２１の貫通孔１２１Ａに連通している。本実施形態では、基板１２１の基板面側からの平面視において、貫通孔１２６Ｃは、円形形状である。なお、貫通孔１２６Ｃの形状は特に限定されない。
端子１２６Ａは、導電性を有していればよいが、たとえば、ＩＴＯあるいはＩＺＯにより形成することができる。また、端子１２６Ａは、第一電極１２３と同じ材料で構成されていてもよく、また異なる材料で構成されていてもよい。
【００２４】
有機機能層１２４は、発光層を含む。より具体的には、有機機能層１２４は、基板１２１側から、正孔注入層、正孔輸送層、発光層、電子輸送層、及び電子注入層をこの順に積層したものである。なお、正孔注入層及び正孔輸送層の代わりに、これら２つの層の機能を有する一つの層を設けてもよい。同様に、電子輸送層及び電子注入層の代わりに、これら２つの層の機能を有する一つの層を設けてもよい。
有機機能層１２４は、図４（ｃ）に示すように、第一電極１２３を被覆する。この有機機能層１２４も基板面側からの平面視において、矩形の４つの角部を切り欠いた形状となっている。有機機能層１２４は、第一電極１２３を被覆しているが、端子１２６Ａは被覆していない。
【００２５】
第二電極１２５は、図４（ｄ）に示すように、有機機能層１２４を被覆する。ただし、第二電極１２５は、基板面側からの平面視において、矩形の４つの角部を切り欠いた形状となっている。基板面側からの平面視において、第二電極１２５は、有機機能層１２４よりも一回り小さく、その外周縁が有機機能層１２４の外周縁の内側に位置している。そのため、第二電極１２５と第一電極１２３とが直接接触してしまうことはない。
第二電極１２５は、たとえば、ＡｇあるいはＡｌ等の金属膜で構成することができる。
【００２６】
第二電極１２５の対向する１対の切り欠き部には、それぞれ端子１２６が設けられている。導電性の端子１２６が第二電極１２５から引き出されている。ここで、第二電極１２５に接続された端子１２６を端子１２６Ｂとする。端子１２６Ｂは第二電極１２５に直接接続されており、本実施形態では、端子１２６Ｂおよび第二電極１２５は一体的に構成されている。
端子１２６Ｂには、端子１２６Ｂを貫通する貫通孔１２６Ｃが形成されており、貫通孔１２６Ｃは、基板１２１の貫通孔１２１Ａに連通している。
なお、端子１２６Ａと、端子１２６Ｂとは、重なりあうことはない。また、端子１２６Ａと、第二電極１２５とは直接接することはなく、端子１２６Ｂと第一電極１２３とは直接接することはない。基板１２１の４つの角部にそれぞれ端子１２６が配置されることなり、本実施形態においては、基板１２１の対向する１対の角部に端子１２６Ａがそれぞれ配置され、対向する他の１対の角部に端子１２６Ｂが配置される。
端子１２６Ｂは、導電性を有していればよいが、たとえば、ＡｇあるいはＡｌ等の金属膜により形成することができる。また、端子１２６Ｂは、第二電極１２５と同じ材料で構成されていてもよく、また異なる材料で構成されていてもよい。
【００２７】
以上のような発光部１２は、支持体１１の凹部１１１に配置されるが、このとき、発光素子１２２の第二電極１２５が凹部１１１底面と対向するように配置される。
そして、発光部１２は固定部材１３により、支持体１１に固定される。発光部１２の基板１２１の貫通孔１２１Ａは、端子１２６の貫通孔１２６Ｃに連通し、貫通孔１２６Ｃは、端子１４の貫通孔１４１に連通する。そして、貫通孔１４１は、支持体１１の穴１１２に連通する。
【００２８】
次に、図２および図３を参照して、固定部材１３について説明する。
固定部材１３は、発光部１２の基板１２１の貫通孔１２１Ａ、端子１２６の貫通孔１２６Ｃ、端子１４の貫通孔１４１、および支持体１１の穴１１２に挿入される挿入部１３１と、この挿入部１３１から張り出した押し当て部１３３とを備える。
【００２９】
本実施形態では、挿入部１３１は棒状の部材で構成され、この棒状の部材の外周面に螺子溝が形成されている。挿入部１３１のうち、螺子溝が形成された部分が螺子軸１３２となる。この螺子軸１３２が発光部１２の基板１２１の貫通孔１２１Ａ、端子１２６の貫通孔１２６Ｃを貫通するとともに、端子１４の貫通孔１４１および支持体１１の穴１１２に螺合し、挿入部１３１が支持体１１に固定される。
【００３０】
押し当て部１３３は、挿入部１３１の一端に設けられ、挿入部１３１の長手方向と直交する方向に庇状に張り出している。押し当て部１３３の径は、挿入部１３１の径よりも大きい。
【００３１】
押し当て部１３３は、螺子軸１３２を端子１４の貫通孔１４１および支持体１１の穴１１２に螺合した際に、発光部１２の基板１２１の貫通孔１２１Ａの開口の周囲に当接し、端子１２６の貫通孔１２６Ｃの開口の周囲を、端子１４の貫通孔１４１の開口の周囲に押し当てる。換言すると、支持体１１の凹部の底部の穴１１２の周囲の部分と、押し当て部１３３とで、端子１４および端子１２６を挟圧することとなる。なお、本実施形態では、端子１４と、端子１２６とは直接接触する。
なお、螺子軸１３２が貫通孔１４１に螺合するとしたが、貫通孔１４１の径を大きくし、螺子軸１３２は貫通孔１４１に螺合しなくてもよい。また、端子１２６の貫通孔１２６Ｃの径、及び貫通孔１２１Ａの径は、挿入部１３１の径よりも大きいことが好ましい。このようにすることで、挿入部１３１をスムーズに貫通孔１２６Ｃに挿入することができる。また貫通孔１２６Ｃ、及び貫通孔１２１Ａの径を大きくしておくことで、貫通孔１４１や穴１１２との位置あわせが容易となる。
なお、固定部材１３は、全体が導電性の材料で構成されていることが好ましく、たとえば、金属で構成される。
【００３２】
次に、発光装置１の製造方法について説明する。
図４（ａ）に示すように、基板１２１を用意する。パンチやカッター、ドリルなどにより、基板１２１に貫通孔１２１Ａを形成する。その後、基板１２１を純水等により十分に洗浄する。
次に、図４（ｂ）に示すように、基板１２１上に第一電極１２３を設けるとともに、端子１２６Ａを設ける。第一電極１２３および端子１２６Ａは同じ材料で構成することができ、たとえば、蒸着あるいはスパッタリング等により、第一電極１２３および端子１２６Ａを基板１２１上に設けることができる。基板１２１には既に貫通孔１２１Ａが形成されているため、端子１２６Ａを形成する際に、貫通孔１２６Ｃは同時に形成される。貫通孔１２１Ａの径は、端子１２６Ａの膜厚よりも非常に大きいため、貫通孔１２１Ａが塞がれてしまうことはない。
なお、基板１２１上に第一電極１２３および端子１２６Ａとなる膜を形成した後、パンチやカッター、ドリルなどにより、貫通孔１２１Ａおよび貫通孔１２６Ｃを形成してもよい。
次に、図４（ｃ）に示すように、第一電極１２３上に有機機能層１２４を設ける。
その後、図４（ｄ）に示すように、有機機能層１２４上に第二電極１２５および端子１２６Ｂを設ける。第二電極１２５および端子１２６Ｂは同じ材料で構成することができ、たとえば、蒸着あるいはスパッタリング等により、第二電極１２５および端子１２６Ｂを有機機能層１２４上に設けることができる。
【００３３】
次に、支持体１１を用意する。そして、支持体１１の穴１１２の周囲に端子１４を配置し、端子１４の貫通孔１４１と穴１１２とを連通させておく。
その後、発光部１２の端子１２６と端子１４とが直接接触するように、第二電極１２５を凹部１１１の底面と対向させて、凹部１１１内に発光部１２を配置する。
次に、固定部材１３の挿入部１３１の螺子軸１３２を発光部１２の基板１２１の貫通孔１２１Ａ、端子１２６の貫通孔１２６Ｃ、端子１４の貫通孔１４１および支持体１１の穴１１２に挿入する。そして、螺子軸１３２と、端子１４の貫通孔１４１および支持体１１の穴１１２とを螺合する。固定部材１３の押し当て部１３３は、発光部１２の基板１２１の貫通孔１２１Ａの周囲に当接し、固定部材１３の押し当て部１３３が端子１２６の貫通孔１２６Ｃの開口の周囲の部分を、端子１４の貫通孔１４１の開口の周囲の部分に押し当てる。
【００３４】
以上、本実施形態によれば、以下の効果を奏することができる。
本実施形態では、固定部材１３の挿入部１３１を、基板１２１の貫通孔１２１Ａ、端子１２６の貫通孔１２６Ｃ、端子１４の貫通孔１４１および支持体１１の穴１１２に挿入し、固定部材１３の挿入部１３１を支持体１１に固定するとともに、挿入部１３１から張り出した押し当て部１３３で端子１２６を端子１４側に押し当てている。
すなわち、発光装置１においては、固定部材１３が基板１２１、端子１２６，１４を貫通するとともに、基板１２１、端子１２６，１４と重なり合う構造となっている。そのため、発光面から見たとき、固定部材１３が基板１２１から大きくはみ出すことが抑制され、発光装置１を小型化することができる。
【００３５】
さらに、本実施形態では、固定部材１３の押し当て部１３３により、端子１２６を端子１４側に押し当てている。そのため、端子１２６および端子１４間の位置ずれが生じにくく、端子１２６，１４同士を確実に接触させ、確実に導通させることができる。これにより、端子１２６，１４間の接触抵抗を低減できる。
また、固定部材１３の押し当て部１３３により、端子１２６を端子１４側に押し当てることで、押し当て部１３３と、支持体１１との間で、端子１２６，１４および基板１２１を挟圧することとなる。そのため、端子１２６が設けられた基板１２１がやわらかいフレキシブル基板等であっても、端子１２６と端子１４とを確実に接触させることができる。
【００３６】
また、基板１２１と支持体１１とが複数箇所、固定部材１３により固定されているので、発光部１２と、支持体１１とを確実に固定することができる。
【実施例】
【００３７】
（実施例１）
次に、図５を参照して、本発明の実施例について説明する。
図５は、発光装置２の基板１２１と直交する方向の分解断面図である。
本実施例の発光装置２は、前記実施形態と支持体２１の構成が異なっている。また、発光装置２は、発光装置１の端子１４にかえて端子２４を有する。さらには、発光装置２は、ワッシャー２６を有する。また、発光装置２では、発光部１２の基板１２１が凹部１１１の底面と直接接触するように、発光部１２が配置されている。他の点は、前記実施形態の発光装置１と同様である。
【００３８】
次に、発光装置２の構成について詳細に説明する。
支持体２１は、凹部１１１の底部に穴２１２が形成されている。この穴２１２の内周面は、平坦面であり、螺子溝は刻設されていない。支持体２１の他の構成は支持体１１と同様である。
この穴２１２内部に、端子２４が埋め込まれている。端子２４は、導電性であり、たとえば金属製の雌螺子である。端子２４は、収容部１１３内に収容された外部電源や、外部電源に接続された制御回路に、図示しない配線を介して接続される。
【００３９】
発光部１２は、基板１２１が凹部１１１の底面に直接接するように、凹部１１１内に設置される。本実施形態においては、発光部１２の発光層からの光は、基板１２１を介さずに、支持体１１と反対側に射出されることとなる。
なお、発光部１２の発光層からの光は、基板１２１を介さずに、支持体１１と反対側に射出されるため、本実施形態では、有機機能層の基板１２１側と反対側に配置される第二電極１２５が光透過性の電極、すなわち、透明電極であることが好ましい。透明電極は、前述したＩＴＯやＩＺＯで構成することができる。
【００４０】
ワッシャー２６は、発光部１２の各端子１２６と各固定部材１３の押し当て部１３３との間に配置される。このワッシャー２６は、中央に貫通孔２６１が形成された環状の部材である。ワッシャー２６は、固定部材１３の螺子軸１３２を端子２４に螺合する際に、端子１２６の表面が押し当て部１３３との摩擦により削れてしまうことを防止する。ワッシャー２６は、導電性部材で構成される。ワッシャー２６は、たとえば、金属材料で構成できる。ただし、ワッシャー２６はなくてもよい。
【００４１】
このような発光装置２は、以下のように製造できる。
まず、穴２１２内部に端子２４を配置する。
次に、基板１２１が凹部１１１の底面に直接接触するように、発光部１２を支持体１１上に設置する。このとき、端子２４の内部と、基板１２１の貫通孔１２１Ａとが連通するように、発光部１２を支持体１１上に配置する。
その後、端子１２６上にワッシャー２６を設置する。ワッシャー２６の孔２６１、端子１２６の貫通孔１２６Ｃおよび基板１２１の貫通孔１２１Ａに螺子軸１３２を通し、さらに、螺子軸１３２を端子２４内に挿入する。そして螺子軸１３２と端子２４とを螺合する。押し当て部１３３は、ワッシャー２６を介して端子１２６に当接し、端子１２６を端子２４側に押し当てる。
本実施形態においては、固定部材１３がワッシャー２６を介して端子１２６と接続される。すなわち、端子１２６に導電性のワッシャー２６が当接し、このワッシャー２６に導電性の固定部材１３の押し当て部１３３が当接し、押し当て部１３３に接続された導電性の螺子軸１３２（導電性の挿入部１３１）と端子２４とが当接している。そのため、固定部材１３を介して、端子１２６および端子２４が電気的に接続されることとなる。
なお、固定部材１３の押し当て部１３３は、発光装置２を基板１２１の基板面側から平面視した際に、基板１２１の外周縁の内側に位置することとなる。すなわち、基板１２１の基板面側から平面視した状態において、固定部材１３は、基板１２１からはみ出していない。
【００４２】
このような本実施例によれば、実施形態と同様の効果を奏することができるうえ、以下の効果を奏することができる。
本実施例では、固定部材１３を介して、端子２４、１２６同士が電気的に接続されるので、端子２４，１２６が、直接接触せずに、基板１２１を介して対向するよう構造を採用することができる。
支持体１１の穴２１２内に端子２４が収容されているので、支持体１１の凹部１１１の底面から端子２４が突出せず、端子２４と凹部１１１の底面との間で段差が形成されない。そのため、凹部１１１内に、発光部１２を設置しやすくなる。
さらには、本実施形態では、基板１２１の発光素子１２２が設けられていない側が、支持体１１の凹部１１１の底面に接するように、発光部１２が配置される。このような発光装置２においては、発光素子１２２からの光は基板１２１側から外部に出射されないので、基板１２１の材料の選択の幅が広がる。
【００４３】
また、固定部材１３の押し当て部１３３は、発光装置２を基板１２１の基板面側から平面視した際に、基板１２１の外周縁の内側に位置しており、固定部材１３が基板１２１の外周縁からはみ出さない。これにより、発光装置２の大型化を防止できる。
【００４４】
（実施例２）
図６を参照して本実施例の発光装置３について説明する。
図６は、発光装置３の基板１２１と直交する方向の分解断面図である。
発光装置３においては、前記実施形態の端子１２６にかえて、端子３２６を使用している。発光部３２の端子３２６の構成は、前記実施形態の端子１２６とは異なっている。他の点は、発光部３２は発光部１２と同じである。また、発光装置３において、端子３２６以外の他の構成は、前記実施形態の発光装置１と同様である。
【００４５】
端子３２６は、前記実施形態と同様、第一電極１２３あるいは第二電極１２５に接続されている。
端子３２６は、導電性を有し、たとえば、金属製である。端子３２６は、基板１２１上に設けられ、第一電極１２３あるいは第二電極１２５から、基板１２１の角部に向って延在する延在部３２７と、基板１２１の延在部３２７が設けられた側の面と反対側の面に向けて基板１２１を貫通する貫通部３２８と、貫通部３２８に接続され、基板１２１の延在部３２７が設けられた側の面と反対側の面に設けられた先端部３２９とを備える。
【００４６】
延在部３２７は、基板１２１の第一電極１２３および第二電極１２５が積層された面に設けられている。
貫通部３２８は、延在部３２７の先端に接続され、基板１２１を貫通している。
先端部３２９は、貫通部３２８に接続されており、この先端部３２９には、貫通孔１２６Ｃが形成されている。貫通孔１２６Ｃは、基板１２１の貫通孔１２１Ａに連通する。
先端部３２９は、端子１４と対向し、端子１４に面接触する。また、先端部３２９の貫通孔１２６Ｃは、端子１４の貫通孔１４１にも連通する。
【００４７】
固定部材１３の螺子軸１３２は、基板１２１の貫通孔１２１Ａ、端子３２６の貫通孔１２６Ｃ、さらには、端子１４の貫通孔１４１を貫通する。螺子軸１３２の先端は、穴１１２に螺合する。固定部材１３の押し当て部１３３は、基板１２１を介して、端子３２６の先端部３２９を端子１４に押し当てる。端子１４と、端子３２６の先端部３２９と対向し、面接触して電気的に接続される。換言すると、押し当て部１３３と、支持体１１の凹部１１１底面とで、基板１２１、端子１４、端子３２６の先端部３２９とを挟圧することとなる。
固定部材１３の押し当て部１３３は、発光装置３を基板１２１の基板面側から平面視した際に、基板１２１の外周縁の内側に位置しており、固定部材１３は基板１２１の外周縁からはみ出していない。
【００４８】
このような発光装置３では、実施例１と同様、発光部１２の発光層からの光は、基板１２１を介さずに、支持体１１と反対側に射出される。そのため、有機機能層の基板１２１側と反対側に配置される第二電極１２５が光透過性の電極、すなわち、透明電極であることが好ましい。透明電極は、前述したＩＴＯやＩＺＯで構成することができる。
【００４９】
以上のような発光装置３は、以下のように製造できる。
凹部１１１の底面と、発光部１２の基板１２１のうち、発光素子１２２が設けられていない側の面とが対向するように、凹部１１１上に発光部１２を配置する。
その後、固定部材１３の螺子軸１３２を、基板１２１の貫通孔１２１Ａ、端子３２６の貫通孔１２６Ｃ、さらには、端子１４の貫通孔１４１に貫通させる。そして、螺子軸１３２の先端を穴１１２に螺合する。これにより、固定部材１３の押し当て部１３３が、基板１２１を介して、端子３２６の先端部３２９を端子１４に押し当てることとなる。
【００５０】
このような本実施例では、前記実施形態と同様の効果を奏することができるうえ、以下の効果を奏することができる。
本実施形態では、端子１４と端子３２６の先端部３２９とが対向し電気的に接続される。すなわち、端子１４と端子３２６の先端部３２９とが面接触するので、確実に導通をとることができる。
【００５１】
また、固定部材１３の螺子軸１３２が穴１１２に螺合しているので、固定部材１３を確実に支持体１１に固定することができる。さらには、固定部材１３の螺子軸１３２が穴１１２に螺合しているので、固定部材１３の押し当て部１３３により、端子３２６の先端部３２９を端子１４へ確実に押し当てることができる。
【００５２】
（実施例３）
図７を参照して、本実施形態の発光装置４について説明する。
図７は、発光装置４の基板１２１と直交する方向の分解断面図である。
発光装置４は、発光部１２と、支持体４１と、端子１４と、端子１２６と、固定部材４３とを備える。
発光装置４においては、発光部１２、端子１４、端子１２６は、前記実施形態と同様であり、発光装置４では、前記実施形態の固定部材１３にかえて固定部材４３を使用している。
支持体４１には、前記実施形態と同様の凹部１１１、収容部１１３が形成されている。ただし、支持体４１には、前記実施形態の穴１１２は形成されておらず、穴１１２に代えて、凹部１１１の底部に凹部４１２が形成されている。他の点は、支持体４１は、前記実施形態の支持体１１と同じである。
【００５３】
固定部材４３は、雄螺子部４３０と、雌螺子部４３３とで構成される。
雄螺子部４３０は、前記実施形態と同様の挿入部１３１と、挿入部１３１の端部に設けられた固定部４３４とを備える。
固定部４３４は、挿入部１３１の端部から張り出して設けられ、凹部４１２に配置される。固定部４３４が凹部４１２に配置されることで、挿入部１３１は凹部１１１の底面に立設されることとなる。
【００５４】
一方、雌螺子部４３３は、雄螺子部４３０とは別体であり、雄螺子部４３０の螺子軸１３２に着脱可能に構成されている。雌螺子部４３３は、本実施例では、ナットである。
【００５５】
このような発光装置４は以下のようにして製造できる。
凹部１１１の凹部４１２内に固定部４３４を配置して、凹部１１１の底面に挿入部１３１を立設させる。その後、端子１４を設ける。端子１４の貫通孔１４１を挿入部１３１は貫通する。
次に、発光部１２を凹部１１１内に配置する。このとき、端子１２６が端子１４と対向するように、発光部１２を凹部１１１内に配置する。挿入部１３１は、端子１２６の貫通孔１２６Ｃおよび基板１２１の貫通孔１２１Ａを貫通する。
その後、基板１２１の貫通孔１２１Ａから突出した挿入部１３１の螺子軸１３２に、ナットである雌螺子部４３３を螺合する。これにより、雌螺子部４３３が、螺子軸１３２に固定されることとなる。雌螺子部４３３は、螺子軸１３２から張り出して、基板１２１、端子１２６を端子１４側に押し当てることとなる。すなわち、雌螺子部４３３は押し当て部に相当する。このような本実施例においても、発光装置４を基板１２１の基板面側から平面視した状態において、固定部材４３は、基板１２１の外周縁からはみ出さない。
【００５６】
このような本実施例によれば、前記実施形態と同様の効果を奏することができるうえ、以下の効果を奏することができる。
固定部材４３の挿入部１３１が支持体４１に立設されているため、支持体４１に発光部１２を配置する際には、この挿入部１３１に、端子１２６の貫通孔１２６Ｃおよび基板１２１の貫通孔１２１Ａを挿入すればよい。従って、発光部１２と支持体４１との位置あわせが容易となる。
【００５７】
（実施例４）
図８および図９を参照して本実施形態の発光装置５について説明する。
図８は、基板１２１および端子１２６を示す平面図であり、図９は、発光装置５の基板１２１の基板面と直交する分解断面図である。
発光装置５は、基板１２１に形成された貫通孔の形状、端子１２６に形成された貫通孔の形状が、前記実施形態とは異なっている。
また、発光装置５の固定部材５３の構造、支持体５１の構造が、前記実施形態とは異なっている。他の点は、前記実施形態と同様である。
【００５８】
図８に示すように、基板１２１には、前記実施形態の貫通孔１２１Ａに代えて、貫通孔１２１Ｂが形成されている。貫通孔１２１Ｂは、基板１２１の表裏面を貫通するとともに、基板１２１の外周縁側から基板１２１内側に向って切りかかれた形状となっている。すなわち、貫通孔１２１Ｂは、基板１２１の側面に達しており、基板１２１側面に開口したスリット部となっている。
端子１２６には、前記実施形態の貫通孔１２６Ｃに代えて、貫通孔１２６Ｄが形成されている。貫通孔１２６Ｄは端子１２６の表裏面を貫通するとともに、端子１２６の外周縁側から端子１２６内側に向って切りかかれた形状となっている。換言すると貫通孔１２６Ｄは端子側面に達しており、端子側面に開口したスリット部となっている。
貫通孔１２６Ｄと貫通孔１２１Ｂとは重なるように形成されており、貫通孔１２６Ｄの端子側面側の開口および貫通孔１２１Ｂの基板側面側の開口の位置は重なっている。
この貫通孔１２６Ｄおよび前述した貫通孔１２１Ｂ内に、挿入部１３１の螺子軸１３２が挿入されることとなる。
【００５９】
図９に示すように、支持体５１には、前記実施形態と同様の凹部１１１及び収容部１１３が形成されている。そして、凹部１１１の底部には、前記実施形態の穴１１２に代えて、穴５１２が形成されている。支持体５１は、各穴５１２内に配置された雌螺子部５１４を有する。雌螺子部５１４は、環状の部材であり、内周面に螺子溝が刻設されたものである。雌螺子部５１４により、穴５１２内に螺子穴が形成されることとなる。
【００６０】
端子１４は、穴５１２の周縁部上に配置されており、端子１４の貫通孔１４１と、穴５１２、さらには、穴５１２内に配置された雌螺子部５１４の螺子穴とが連通している。
【００６１】
固定部材５３は、前記実施形態と同様の挿入部１３１と、この挿入部１３１の一端に設けられた押し当て部１３３とを備える。また、固定部材５３は、挿入部１３１の他端に設けられた張り出し部５３４を備える。押し当て部１３３および張り出し部５３４間に螺子軸１３２が位置している。
【００６２】
張り出し部５３４は、挿入部１３１から張り出すように設けられ、押し当て部１３３と対向する。この張り出し部５３４は、穴５１２内に位置する。より詳細に説明すると、雌螺子部５１４の螺子穴から突出し、穴５１２内に位置する挿入部１３１の端部に、張り出し部５３４が設けられている。そして、雌螺子部５１４の螺子穴の径よりも、張り出し部５３４の径は大きい。
また、押し当て部１３３は、雌螺子部５１４の螺子穴から突出するとともに凹部１１１の底部から突出した、挿入部１３１の端部に設けられている。そして、雌螺子部５１４の螺子穴の径よりも、押し当て部１３３の径は大きい。以上の構成により、固定部材５３は、支持体５１から取り外しできない構成となっている。
【００６３】
発光装置５を製造する際には、図９に示すように、固定部材５３の螺子軸１３２を穴５１２から大きく突出させる。そして、貫通孔１２６Ｄの端子側面に開口した部分および貫通孔１２１Ｂの基板側面に開口した部分から、固定部材５３の挿入部１３１を挿入し、挿入部１３１を貫通孔１２６Ｄおよび貫通孔１２１Ｂ内に配置する。これにより、挿入部１３１が貫通孔１２６Ｄおよび貫通孔１２１Ｂを貫通することとなる。
その後、螺子軸１３２を雌螺子部５１４に螺合して、押し当て部１３３を基板１２１に当接させる。これにより、端子１２６が端子１４側に押し当てられることとなる。端子１２６が端子１４に面接触してこれらが電気的に接続される。
【００６４】
このような本実施例によれば、前記実施形態と同様の効果を奏することができるうえ、以下の効果を奏することができる。
基板１２１に形成された貫通孔１２１Ｂは、基板表裏面を貫通するだけでなく、基板１２１の外周縁側から基板１２１内側に向って切りかかれた形状となっている。同様に、基板１２１上に設けられた端子１２６に形成された貫通孔１２６Ｄも、端子１２６の表裏面を貫通するだけでなく、端子１２６の外周縁側から端子１２６内側に向って切りかかれた形状となっている。そのため、固定部材５３をあらかじめ支持体５１に固定しておいても、固定部材５３の挿入部１３１を、貫通孔１２１Ｂ，１２６Ｄに通すことができる。
【００６５】
固定部材５３は、挿入部１３１の螺子穴から突出した１対の端部にそれぞれ押し当て部１３３および張り出し部５３４が設けられている。そして、押し当て部１３３および張り出し部５３４は螺子穴の径よりも大きいので、固定部材５３は、支持体５１に固着された状態となる。そのため、発光部１２を支持体５１に設置する際に、固定部材５３を作業者が手で持つ必要がなく、発光部１２の支持体５１への設置作業がしやすくなる。発光装置を天井に設置する際、作業者が発光部を一方の手で持ち、他方の手で固定部材を持ち、発光部を支持体に配置するとともに、固定部材を発光部および支持体に挿入して発光部を配置することは難しい作業となる。これに対し、本実施例の発光装置５においては、あらかじめ固定部材５３が固着された支持体５１を天井に固定し、この支持体５１に発光部１２を配置し、その後、固定部材５３を支持体５１に螺合すればよい。従って、発光装置５を天井に容易に設置することができる。
【００６６】
（実施例５）
図１０を参照して、本実施例の発光装置６について説明する。
発光装置６は、支持体６１と、前記実施形態と同様の発光部１２と、端子１４と、固定部材６３とを備える。
【００６７】
支持体６１は、前記実施形態の支持体１１の穴１１２に代えて孔６１２が形成されたものである。他の点は、支持体１１と同様である。孔６１２は、穴１１２とは異なり、内周面が平坦面である。
【００６８】
固定部材６３は、棒状の挿入部６３１と、この挿入部６３１の一端に設けられた押し当て部１３３と、挿入部６３１を支持体６１に固定するための固定部６３０とを備える。
挿入部６３１の外周面には螺子溝は形成されておらず、外周面は平坦面となっている。
挿入部６３１および押し当て部１３３は、たとえば、金属等の導電性の材料で構成されるが、これに限られるものではない。
【００６９】
固定部６３０は、各孔６１２内に配置されている。この固定部６３０は、孔６１２内に固定されている。固定部６３０は、挿入部６３１の端部を挟む挟持部６３５と、この挟持部６３５を、挿入部６３１を挟持する方向に付勢する（挟持する方向に力を加える）手段６３６とを備える。
固定部６３０はたとえば、金属板を加工したものである。
【００７０】
固定部材６３の挿入部６３１を、基板１２１の貫通孔１２１Ａ、端子１２６の貫通孔１２６Ｃに挿入し、挿入部６３１を貫通孔１２１Ａ、１２６Ｃに貫通させる。そして、さらに、端子１４の貫通孔１４１に挿入部６３１を貫通させ、挿入部６３１の端部を固定部６３０の挟持部６３５内に挿入する。これにより、固定部材６３が支持体６１に固定されることとなる。このとき、押し当て部１３３は、基板１２１および端子１２６を、端子１４側に押し当てることとなる。
端子１２６および端子１４は直接接触して電気的に接続される。
【００７１】
このような本実施例によれば、前記実施形態と同様の効果を得ることができる。
【００７２】
（実施例６）
図１１〜図１７を参照して、本実施例について説明する。
前記実施形態および前記実施例においては、発光装置は、一つの支持体に対して、発光部が一つ配置された構成であった。これに対して、本実施例における発光装置は、一つの支持体に対して、複数の発光部が配置される構造となっている。
【００７３】
図１１および図１２に示すように、支持体１１の凹部１１１の底面には、複数の発光部１２を固定するための複数の穴１１２が形成されている。
図１１は発光装置の断面図であり、図１２は支持体の凹部１１１底面側からの平面図である。図１２の点線は、発光部１２の位置を示す仮想線である。
【００７４】
各発光部１２は前記実施形態と同様、固定部材１３により、支持体１１に固定される。
隣接する端子１４同士が、配線Ｃを介して接続されている。
配線Ｃは、支持体１１内に形成された配線溝内に配置されており、支持体１１の収容部１１３内に配置された外部電源等に接続されている。
【００７５】
また、図１３および図１４に示すような配線Ｃを設けてもよい。図１３は、発光装置の断面図であり、図１４は、発光部１２の発光面側からの平面図である。
この配線Ｃは、隣接する端子１４間を接続するものであり、支持体１１の凹部１１１の底面上に配置されている。
【００７６】
次に、図１５〜図１７を参照して発光パネルの配列例を説明する。
図１５は発光パネルの配列を示す平面図であり、隣接する端子１２６同士が同じ極性の電極（たとえば、陰極あるいは陽極）から引き出されたものである例を示している。
この場合には、点線で示したように、隣接する端子１４同士を配線Ｃで接続して一体化してもよい。
【００７７】
図１６は、隣接する端子１２６同士が異なる極性の電極から引き出されたものである例を示している。そして、隣接する一方の発光部の陰極から引き出された端子１２６と、隣接する他方の発光部の陽極から引き出された端子１２６とが電気的に接続されるように、点線で示すように、隣接する一方の発光部１２の陰極から引き出された端子１２６が押し当てられる端子１４と、隣接する他方の発光部１２の陽極から引き出された端子１２６が押し当てられる端子１４とを配線Ｃで接続して一体化する。
これにより、隣接する発光部１２同士が直列接続されることとなる。
図１７は、発光部１２同士を直列接続したものと、発光部１２同士を並列接続したものとが混在された例である。
【００７８】
このような本実施例によれば、前記実施形態と同様の効果を奏することができるうえ、以下の効果を奏することができる。
一つの支持体１１の凹部１１１に複数の発光部１２を並列配置している。発光部１２を凹部１１１に固定する固定部材１３は、発光部１２の基板１２１から大きくはみ出すことが抑制されているので、発光部１２間の隙間を小さくできる。これにより、発光部１２を複数有する発光装置の大型化を防止できる。
【００７９】
以上、図面を参照して実施形態及び実施例について述べたが、これらは本発明の例示であり、上記以外の様々な構成を採用することもできる。
たとえば、図１８に示すように、端子１２６を形成する際に、第一電極１２３の４つ切り欠き部分のうち、対向する一対の切り欠き部分に端子１２６を設けて、対向する他の一対の切り欠き部分には、第一電極１２３から離間した膜Ｐを設けてもよい。
膜Ｐは、第一電極１２３に対して電気的に接続されていない。
膜Ｐ、第一電極１２３、端子１２６をＩＴＯ等でスパッタ成膜することで、強度が高いものとなる。
その後、図１８（ｂ）、（ｃ）に示すように、第一電極１２３上に有機機能層１２４、電極１２５を設ける。端子１２６（１２６Ｂ）は、膜Ｐ上に形成される。
電極１２５、端子１２６（１２６Ｂ）は、蒸着法で形成される金属膜であり、比較的強度が弱い。しかしながら、端子１２６（１２６Ｂ）の裏面側には、比較的強度の強い膜Ｐが形成されているので、端子１２６（１２６Ｂ）を補強することができる。
【００８０】
また、前記実施形態では、端子１２６は、第一電極１２３や電極１２５と同じ材料で構成されているとしたが、たとえば、端子１２６を多層構造としてもよい。
また、前記実施形態および実施例１−３，５−６において、実施例４で使用した貫通孔１２１Ｂが形成された基板１２１および貫通孔１２６Ｄが形成された端子１２６を使用してもよい。
さらに、前記実施形態および実施例１，３−６では、端子１４と端子１２６（３２６）とが対向し、直接接触していたが、これに限らず、端子１４と端子１２６（３２６）とが導電性の部材を介して対向して、端子１４と端子１２６（３２６）が電気的に接続されていてもよい。この場合には固定部材の挿入部は導電性の部材を貫通することが好ましい。
また、実施例４において、押し当て部５３をナットで構成してもよい。
【符号の説明】
【００８１】
１    発光装置
２    発光装置
３    発光装置
４    発光装置
５    発光装置
６    発光装置
１１    支持体
１２    発光部
１３    固定部材
１４    端子
２１    支持体
２４    端子
３２    発光部
４１    支持体
４３    固定部材
５１    支持体
５３    固定部材
６１    支持体
６３    固定部材
１２１    基板
１２１Ａ    貫通孔
１２１Ｂ    貫通孔
１２２    発光素子
１２３    第一電極
１２４    有機機能層
１２５    第二電極
１２６    端子
１２６Ａ    端子
１２６Ｂ    端子
１２６Ｃ    貫通孔
１２６Ｄ    貫通孔
１３１    挿入部
１３３    押し当て部
３２６    端子
４３３    雌螺子部（ナット）
５１４    雌螺子部
５３４    張り出し部
６３１    挿入部
６３５    挟持部
６３６    付勢手段
【図１】
2014167863.tif 000003
【図２】
2014167863.tif 000004
【図３】
2014167863.tif 000005
【図４】
2014167863.tif 000006
【図５】
2014167863.tif 000007
【図６】
2014167863.tif 000008
【図７】
2014167863.tif 000009
【図８】
2014167863.tif 000010
【図９】
2014167863.tif 000011
【図１０】
2014167863.tif 000012
【図１１】
2014167863.tif 000013
【図１２】
2014167863.tif 000014
【図１３】
2014167863.tif 000015
【図１４】
2014167863.tif 000016
【図１５】
2014167863.tif 000017
【図１６】
2014167863.tif 000018
【図１７】
2014167863.tif 000019
【図１８】
2014167863.tif 000020